(57)【要約】【課題】本発明は、蓋部を開ける際に、残留内容物が指に付着しないようにしたヒンジキャップを提供する。【解決手段】ヒンジキャップ１において、蓋部４の外周面には、一対の指掛け部２０が形成されている。そして、一対の指掛け部２０は、ヒンジ部５の中心と注出口１２ａの中心とを結ぶ中心軸線Ｌを境にして、対向して配置されている。一般的に、容器２を傾けて使用する場合に、開けられた蓋部４を上にした状態で、容器２を傾けて内容物を注出口１２ａから排出させるので、残留内容物Ｒが注出口１２ａの周りに付着したり、キャップ本体部３の外周縁からはみ出すようにキャップ本体部３に付着し易い。そこで、本発明に係るヒンジキャップ１において、蓋部４に設けられた一対の指掛け部２０は、キャップ本体部３に残留内容物Ｒが付着し易い位置に無いので、蓋部４を開ける際に、指に残留内容物Ｒが付着することが無い。【選択図】図１
2015003758.tif 000002
【特許請求の範囲】
【請求項１】
内容物が充填された容器に固定されて利用されるヒンジキャップにおいて、
前記容器に固定されるキャップ本体部と、
前記キャップ本体部にヒンジ部を介して連結される蓋部と、を備え、
前記キャップ本体部に設けられた仕切板に形成された注出口と、
前記蓋部に設けられた一対の指掛け部と、を備え、
一対の前記指掛け部は、前記ヒンジ部の中心と前記注出口の中心とを結ぶ中心軸線を境にして、対向して配置されていることを特徴とするヒンジキャップ。
【請求項２】
前記仕切板に設けられた内立壁は、前記注出口と前記キャップ本体部の外周縁との間で前記外周縁に沿って、前記指掛け部に対向する位置に延在することを特徴とする請求項１記載のヒンジキャップ。
【請求項３】
前記注出口は、前記中心軸線に沿って、前記ヒンジ部の反対側に向かって前記仕切板の中心から離れるように前記キャップ本体部の外周縁に寄せられていることを特徴とする請求項１又は２記載のヒンジキャップ。
【発明の詳細な説明】
【技術分野】
【０００１】
本発明は、内容物が充填された容器に固定して利用され、蓋部が開閉自在になっているヒンジキャップに関するものである。
【背景技術】
【０００２】
従来、このような分野の技術として、特開２０１０−１８４７２９号公報がある。この公報に記載されたヒンジキャップは、容器に固定されると共に、注出口を有するキャップ本体部と、キャップ本体部にヒンジ部を介して回動自在に連結された蓋体（蓋部）と、を備え、閉操作時に蓋体がキャップ本体部の上面に突き当たる構成となっている。蓋体には、ヒンジ部と反対側部分に飛散防止部が設けられ、この飛散防止部は、閉操作時において、キャップ本体部の上面よりも下方に延びてキャップ本体部の外周面側に被さり、蓋体がキャップ本体部の上面に突き当たる際にキャップ本体部の上面の残留液滴の飛散を防止している。この飛散防止部は、蓋体を開く際の指掛け部として使用される。
【先行技術文献】
【特許文献】
【０００３】
【特許文献１】特開２０１０−１８４７２９号公報
【発明の概要】
【発明が解決しようとする課題】
【０００４】
しかしながら、前述した従来のヒンジキャップの飛散防止部すなわち指掛け部は、ヒンジ部と対向した位置に設けられているので、容器を傾けて内容物を注出口から出すときに、残留内容物は、注出口の周りに付着したり、キャップ本体部の外周からはみ出すようにキャップ本体部に付着したりする。このような状態で蓋体を閉めると、指掛け部に残留内容物が付着するので、使用時に蓋体を開けようとすると、指掛け部に付着した残留内容物が指に付着し易いといった問題点がある。
【０００５】
本発明は、蓋部を開ける際に、残留内容物が指に付着しないようにしたヒンジキャップを提供することを目的とする。
【課題を解決するための手段】
【０００６】
本発明は、内容物が充填された容器に固定されて利用されるヒンジキャップにおいて、
容器に固定されるキャップ本体部と、
キャップ本体部にヒンジ部を介して連結される蓋部と、を備え、
キャップ本体部に設けられた仕切板に形成された注出口と、
蓋部に設けられた一対の指掛け部と、を備え、
一対の指掛け部は、ヒンジ部の中心と注出口の中心とを結ぶ中心軸線を境にして、対向して配置されていることを特徴とする。
【０００７】
一般的に、容器を傾けて使用する場合に、開けられた蓋部を上にした状態で、容器を傾けて内容物を注出口から排出させるので、残留内容物が注出口の周りに付着したり、キャップ本体部の外周縁からはみ出すようにキャップ本体部に付着し易い。そこで、本発明に係るヒンジキャップにおいて、蓋部に設けられた一対の指掛け部は、ヒンジ部の中心と注出口の中心とを結ぶ中心軸線を境にして、対向して配置されている。このような構成にすると、キャップ本体部に残留内容物が付着し易い位置に指掛け部が無いので、蓋部を開ける際に、指に残留内容物が付着することが無い。さらに、指二本で蓋部を開けるので、指一本で蓋部を開ける場合と比較して指一本にかかる圧力が分散されるので、指にかかる負担を軽減させることができる。
【０００８】
また、仕切板に設けられた内立壁は、注出口とキャップ本体部の外周縁との間で外周縁に沿って、指掛け部に対向する位置に延在する。
使用時に仕切板上に残留内容物が付着しても、内立壁の採用により、残留内容物がキャップ本体部の外周縁に達し難くなり、これによって、蓋部を閉めたときに指掛け部に残留内容物が付着し難くなる。さらに、キャップ本体部の外周縁に残留内容物が付着する量が多くなればなるほど、蓋部は閉まり難くなり、特に、残留内容物が外周縁の全周に渡って付着すると蓋部が非常に閉まり難くなるが、本発明は、このような事態を回避させ、蓋部を確実に閉めることができる。
【０００９】
また、注出口は、中心軸線に沿って、ヒンジ部の反対側に向かって仕切板の中心から離れるようにキャップ本体部の外周縁に寄せられている。
このような構成を採用すると、使用時に容器から出た残留内容物が仕切板上に付着する量を非常に少なくすることができ、しかも、内容物を注出口から出す際の容器の傾きを小さくすることができる。更に、従来のような位置に指掛け部があると、指で蓋部を開ける際に、指が注出口に直接触れたり、指が注出口近傍に触れたりするので、指に残留内容物が付着する虞があるが、本発明では、このような位置に注出口があっても、指に残留内容物が付着することがない。
【発明の効果】
【００１０】
本発明によれば、蓋部を開ける際に、残留内容物が指に付着しない。
【図面の簡単な説明】
【００１１】
【図１】本発明に係るヒンジキャップの一実施形態を示す斜視図である。
【図２】ヒンジキャップの正面図である。
【図３】図２のIII−III線に沿う断面図である。
【図４】ヒンジキャップの他の実施形態を示す正面図である。
【発明を実施するための形態】
【００１２】
以下、図面を参照しつつ本発明に係るヒンジキャップの好適な実施形態について詳細に説明する。
【００１３】
図１〜３に示されるように、樹脂の一体成形からなるヒンジキャップ１は、内容物（例えば、接着剤、グリース、マヨネーズ、ケチャップなどの高粘度物）が充填された容器２の首部２ａに固定されて利用される。
【００１４】
ヒンジキャップ１は、容器２の首部２ａが圧入、ネジ結合又は接着などにより固定される円筒状のキャップ本体部３と、キャップ本体部３から内容物が出ないようにするためや、内容物の乾燥を防止するための蓋部４と、キャップ本体部３と蓋部４とを連結して、蓋部４の開閉を可能するためのヒンジ部５と、で構成されている。
【００１５】
キャップ本体部３は、容器２の首部２ａに固定するための断面円形の筒部１０と、筒部１０の一端側を閉鎖するための円板状の仕切板１１と、仕切板１１の中央に配置されて注出口１２ａを有する円筒状の注出突起１２と、を備えている。注出口１２ａは、容器２の内側と外側とを連通させて、内容物を外に流出させるためのものである。
【００１６】
ヒンジ部５は、薄板状に形成され、ヒンジ部５の中央部には、筒部１０の接線方向に延在する断面半円弧状の補強部１３ａ，１３ｂが並置され、連接された補強部１３ａ，１３ｂ間が折れ部位１３として利用されている。このヒンジ部５の一端は、筒部１０の上端に連結され、ヒンジ部５の他端は、蓋部４の外周面に連結されている。
【００１７】
蓋部４には、注出突起１２や後述の内立壁３０を収容するための凹部Ｓが形成されている。また、蓋部４は、キャップ本体部３の筒部１０に対してしっかり嵌り合う必要がある。これを達成するために、筒部１０の内周面には、仕切板１１より上方に位置する嵌合凸部１０ａが全周に渡って形成され、蓋部４の開口側の外周面には、嵌合凸部１０ａに嵌り込むための嵌合凹部４ａが全周に渡って形成されている。
【００１８】
また、蓋部４の外周面には、嵌合凹部４ａに連続して開口側の外周面に位置する舌片４ｂが全周に渡って形成され、筒部１０の内周面において、嵌合凸部１０ａと仕切板１１の間には、舌片収容凹部１０ｂが形成されている。よって、蓋部４を閉めた際に、舌片４ｂの弾性変形により、嵌合凹部４ａ内に嵌合凸部１０ａが嵌り込み、蓋部４による気密性を高めることができる。
【００１９】
蓋部４の外周面には、嵌合凹部４ａに近接し且つ合わせ面４ｃと面一をなす一対の指掛け部２０が形成されている。そして、一対の指掛け部２０は、ヒンジ部５の中心と注出口１２ａの中心とを結ぶ中心軸線Ｌを境にして、対向して配置されている（図２参照）。
【００２０】
一般的に、容器２を傾けて使用する場合に、開けられた蓋部４を上にした状態で、容器２を傾けて内容物を注出口１２ａから排出させるので、残留内容物Ｒが注出口１２ａの周りに付着したり、キャップ本体部３の外周縁からはみ出すようにキャップ本体部３に付着し易い。
【００２１】
そこで、前述したヒンジキャップ１において、蓋部４に設けられた一対の指掛け部２０は、キャップ本体部３に残留内容物Ｒが付着し易い位置に無いので、蓋部４を開ける際に、指に残留内容物Ｒが付着することが無い。さらに、指二本で蓋部４を開けるので、指一本で蓋部４を開ける場合と比較して指一本にかかる圧力が分散されるので、指にかかる負担を軽減させることができる。
【００２２】
更に、ヒンジキャップ１において、仕切板１１には、円弧状の内立壁３０が設けられている。この内立壁３０は、注出口１２ａとキャップ本体部３の筒部１０の外周縁との間で、筒部１０の外周縁に沿って、左右の指掛け部２０に対向する位置で延在する第１及び第２の部位Ａ，Ｂと、ヒンジ部５に対向する位置で延在して第１の部位Ａと第２の部位Ｂと連結する第３の部位Ｃと、で構成されている。
【００２３】
使用時に仕切板１１上に残留内容物Ｒが付着しても、内立壁３０の採用により、残留内容物Ｒがキャップ本体部３の外周縁に達し難くなり、これによって、蓋部４を閉めたときに指掛け部２０に残留内容物Ｒが付着し難くなる。さらに、キャップ本体部３の外周縁に残留内容物Ｒが付着する量が多くなればなるほど、蓋部４は閉まり難くなり、特に、残留内容物Ｒがキャップ本体部３の外周縁の全周に渡って付着すると蓋部４が非常に閉まり難くなるが、内立壁３０の採用により、このような事態を回避させ、蓋部４を確実に閉めることができる。
【００２４】
本発明は、前述した実施形態に限定されず、本発明の要旨を逸脱しない範囲で、下記のような種々の変形が可能である。
【００２５】
例えば、図４に示されるように、ヒンジキャップ１Ａにおいて、注出口１２ａＡは、中心軸線Ｌに沿って、ヒンジ部５の反対側に向かって仕切板１１の中心から離れるようにキャップ本体部３の筒部１０の外周縁に寄せられている。このような構成を採用すると、使用時に容器２から出た残留内容物Ｒが仕切板１１上に付着する量を非常に少なくすることができ、しかも、内容物を注出口１２ａＡから出す際の容器２の傾きを小さくすることができる。更に、従来のような位置に指掛け部があると、指で蓋部４を開ける際に、指が注出口１２ａＡに直接触れたり、指が注出口１２ａＡ近傍に触れたりするので、指に残留内容物Ｒが付着する虞があるが、このような位置に注出口１２ａＡがあっても、指に残留内容物Ｒが付着することがない。
【００２６】
蓋部４の気密性が高ければ、内容物の種類によっては、前述の注入口１２ａ，１２ａＡを上から封鎖する中栓が蓋部４の内壁面に形成されていなくても内容物は出ない。しかしながら、気密性の高低に拘わらず、中栓（不図示）が蓋部４の内壁面に形成されていてもよい。
【符号の説明】
【００２７】
１，１Ａ…ヒンジキャップ  ２…容器  ３…キャップ本体部  ４…蓋部  ５…ヒンジ部  １１…仕切板  １２ａ，１２ａＡ…注入口  ２０…指掛け部  ３０…内立壁  Ｌ…中心軸線  Ｒ…残留内容物
【図１】
2015003758.tif 000003
【図２】
2015003758.tif 000004
【図３】
2015003758.tif 000005
【図４】
2015003758.tif 000006